(57)【要約】【課題】荷物を適切に配達できる技術を提供する。【解決手段】配送順決定システムは、荷物と前記荷物の種類と前記荷物の配送先とが対応付けて記憶された配送先記憶部と、前記配送先の少なくとも一部をグループ化し、グループ化された前記配送先に配送される前記荷物を、前記種類に応じてグループ化するグループ化部と、グループ化された前記荷物の配送順を決定する配送順決定部と、を備え、前記荷物の種類は、同時に配送することの適格性に応じて区分されている。【選択図】図１
2020159800.tif 000002
【特許請求の範囲】
【請求項１】
配送順決定システムであって、
荷物と前記荷物の種類と前記荷物の配送先とが対応付けて記憶された配送先記憶部と、
前記配送先の少なくとも一部をグループ化し、グループ化された前記配送先に配送される前記荷物を、前記種類に応じてグループ化するグループ化部と、
グループ化された前記荷物の配送順を決定する配送順決定部と、
を備え、
前記荷物の種類は、同時に配送することの適格性に応じて区分されている、
配送順決定システム。
【請求項２】
請求項１に記載の配送順決定システムであって、
車両が通行可能な道路の繋がり状態を表す車両用道路ネットワークを記憶する道路情報記憶部と、
グループ化された前記配送先を含む領域内において、予め定めた条件を満たす駐車位置を前記車両用道路ネットワークに基づき決定する駐車位置決定部と、
を備える配送順決定システム。
【請求項３】
請求項２に記載の配送順決定システムであって、
前記道路情報記憶部は、台車が通行可能な道路の繋がり状態を表す台車用道路ネットワークを記憶し、
前記配送順決定部は、前記駐車位置からの前記配送先への配送順序を、前記台車用道路ネットワークを用いて決定する、配送順決定システム。
【請求項４】
請求項２または請求項３に記載の配送順決定システムであって、
前記駐車位置決定部によって決定された前記駐車位置に基づき、前記荷物が積み込まれる配送車両の配送経路を、前記車両用道路ネットワークを用いて決定する配送経路決定部、を備える配送順決定システム。
【請求項５】
請求項１から請求項４までのいずれか一項に記載の配送順決定システムであって、
前記グループ化部は、前記配送先および前記荷物の少なくとも一方を、予め定められた数以下でグループ化する、配送順決定システム。
【請求項６】
コンピュータにより実行される配送順決定方法であって、
荷物と前記荷物の種類と前記荷物の配送先とが対応付けて記憶された配送先記憶部を参照して、前記配送先の少なくとも一部をグループ化し、グループ化された前記配送先に配送される前記荷物を、前記種類に応じてグループ化するグループ化工程と、
グループ化された前記荷物の配送順を決定する配送順決定工程と、
を備え、
前記荷物の種類は、同時に配送することの適格性に応じて区分されている、
配送順決定方法。
【請求項７】
コンピュータプログラムであって、
荷物と前記荷物の種類と前記荷物の配送先とが対応付けて記憶された配送先記憶部を参照して、前記配送先の少なくとも一部をグループ化し、グループ化された前記配送先に配送される前記荷物を、前記種類に応じてグループ化するグループ化機能と、
グループ化された前記荷物の配送順を決定する配送順決定機能と、
をコンピュータに実現させ、
前記荷物の種類は、同時に配送することの適格性に応じて区分されている、
コンピュータプログラム。
【発明の詳細な説明】
【技術分野】
【０００１】
本発明は、配送順決定システムに関する。
【背景技術】
【０００２】
従来、配送業務における配送ルート計画では、配送車両を１配送先毎に駐車させ、その駐車位置から１つの配送先に荷物を配達することを前提としていた。こうした配送ルートの計画に関し、例えば、特許文献１には、所定距離範囲内に複数の配送先が存在している場合に、それらの配送先をグループ化し、そのグループに対して配送車両を１ヶ所に駐車させることが開示されている。
【先行技術文献】
【特許文献】
【０００３】
【特許文献１】特開２０１０−７８５７１号公報
【発明の概要】
【発明が解決しようとする課題】
【０００４】
しかし、駐車位置から複数種類の荷物をまとめて各配送先に配達するような場合には、例えば、生鮮品等の入った荷物から他の荷物に匂いが移る可能性や、受領確認を要する荷物と要しない荷物とが混在して受領確認を怠る可能性などがあり、荷物を適切に配達できない可能性があった。
【課題を解決するための手段】
【０００５】
本発明は、以下の形態として実現することが可能である。
【０００６】
（１）本発明の一形態によれば、配送順決定システムが提供される。この配送順決定システムは、荷物と前記荷物の種類と前記荷物の配送先とが対応付けて記憶された配送先記憶部と、前記配送先の少なくとも一部をグループ化し、グループ化された前記配送先に配送される前記荷物を、前記種類に応じてグループ化するグループ化部と、グループ化された前記荷物の配送順を決定する配送順決定部と、を備え、前記荷物の種類は、同時に配送することの適格性に応じて区分されていることを特徴とする。
このような形態の配送順決定システムによれば、同時に配送されることが好ましくない荷物が、各配送先にまとめて配送されることを抑制できる。そのため、荷物を適切に配達することができる。
（２）上記形態の配送順決定システムは、更に、車両が通行可能な道路の繋がり状態を表す車両用道路ネットワークを記憶する道路情報記憶部と、グループ化された前記配送先を含む領域内において、予め定めた条件を満たす駐車位置を前記車両用道路ネットワークに基づき決定する駐車位置決定部とを備えてもよい。このような形態によれば、配送車両の駐車位置を的確に決定できる。
（３）上記形態の配送順決定システムにおいて、前記道路情報記憶部は、台車が通行可能な道路の繋がり状態を表す台車用道路ネットワークを記憶し、前記配送順決定部は、前記駐車位置からの前記配送先への配送順序を、前記台車用道路ネットワークを用いて決定してもよい。このような形態によれば、効率的に荷物を配達できる。
（４）上記形態の配送順決定システムは、更に、前記駐車位置決定部によって決定された前記駐車位置に基づき、前記荷物が積み込まれる配送車両の配送経路を、前記車両用道路ネットワークを用いて決定する配送経路決定部を備えてもよい。このような形態によれば、各駐車位置を経由する配送経路を決定できる。
（５）上記形態の配送順決定システムにおいて、前記グループ化部は、前記配送先および前記荷物の少なくとも一方を、予め定められた数以下でグループ化してもよい。このような形態によれば、配送先の密集度が高い地域においてグループ化される配送先が増大することや、配送車両あるいは台車に積載すべき荷物が増大することを抑制できる。
本発明は、上述した配送順決定システム以外の種々の形態で実現することも可能である。例えば、配送順決定方法や、配送順を決定するためのコンピュータプログラム、そのコンピュータプログラムが記録された一時的でない有形な記録媒体等の形態で実現することができる。
【図面の簡単な説明】
【０００７】
【図１】配送順決定システムの概略構成を示す説明図。
【図２】配送指示データによって表される配送指示書の一例を示す図。
【図３】配送先記憶部の記憶内容の一例を示す図。
【図４】配送順決定処理のフローチャート。
【図５】荷物のグループ化の例を示す図。
【図６】配送順の一例を示す図。
【発明を実施するための形態】
【０００８】
Ａ．第１実施形態：
図１は、第１実施形態における配送順決定システム１０の概略構成を示す説明図である。配送順決定システム１０は、配送車両５０および台車６０を用いて荷物の配送を行う配送業務に用いられる。配送順決定システム１０は、配送車両５０に搭載される端末装置１００と、配送順決定サーバ２００とを備える。配送車両５０には、台車６０が搭載されており、配送車両５０の運転者は、台車６０を用いて配送車両５０に積載された荷物を配送先に配達することができる。
【０００９】
端末装置１００は、送受信アンテナと無線基地局と交換局とを含む通信キャリア７０を介して、インターネット８０に接続された配送順決定サーバ２００にアクセスすることができる。端末装置１００は、第１制御部１１０と、無線通信部１２０と、タッチパネル１２４と、表示部１２６と、測位部１３６と、記憶部１３８と、を備える。
【００１０】
無線通信部１２０は、通信キャリア７０を介したデータ通信を行うための回路である。表示部１２６は、荷物の配送順や、荷物の配送経路を表示する装置である。タッチパネル１２４は、表示部１２６に重畳して設けられており、指やペンによるユーザからのタッチ操作を受け付ける。測位部１３６は、ＧＮＳＳ（Global Navigation Satellite System／全球測位衛星システム）受信機を備え、ＧＮＳＳを構成する人工衛星から受信した電波に基づいて、端末装置１００の現在位置である緯度および経度を測位する。端末装置１００は、タッチパネル１２４に限らず、各種ボタンやジョイスティック、タッチパッドなどの他の入力装置を備えていてもよい。
【００１１】
第１制御部１１０は、ＣＰＵやメモリを備えたコンピュータとして構成されており、端末装置１００の動作全体を制御する。第１制御部１１０は、メモリに記録されたコンピュータプログラムがＣＰＵによって実行されることにより、配送順決定要求部１１２および配送順案内部１１４として機能する。コンピュータプログラムは、メモリカードなどの一時的でない有形な記録媒体に記録されていてもよい。
【００１２】
配送順決定要求部１１２は、無線通信部１２０を通じて配送順決定サーバ２００に対して、配送順の決定を要求する。以下では、この要求のことを、「配送順決定要求」という。配送順決定要求には、端末装置１００が搭載された配送車両５０の識別ＩＤが含まれる。配送順決定サーバ２００からは、この配送順決定要求に応じて、各配送先の配送順が特定された配送指示データが送信される。
【００１３】
図２は、配送指示データによって表される配送指示書の一例を示す図である。配送指示データには、後述する処理においてグループ化される配送先のグループ番号や、配送先を一意に示すコード番号、配送先の名称、住所（位置）、各配送先における荷物の積み込み数、荷下ろし数、配送先間の距離、その配送先までの移動手段、各配送先に対して指定された配達指定時刻などが、配送順に登録されている。また、配送指示データには、全ての配達が完了する予定時刻も登録されている。本実施形態では、配送先に対する移動手段として、配送車両５０または台車６０が指定される。配送順決定サーバ２００から送信された配送指示データは、記憶部１３８に記憶される。第１制御部１１０は、測位部１３６によって測位された現在位置に基づき、配送車両５０が各配達先に到着したこと、および各配達先から出発したことを判別し、到着時間および出発時間を配送指示データに記録する。すべての配達が完了すると、第１制御部１１０は、到着時刻や出発時刻が記録された配送指示データを配送順決定サーバ２００に送信する。配送順決定サーバ２００では、各配送車両５０から返信された配送指示データに基づき、各配送車両５０による配送作業の管理が行われる。
【００１４】
配送順案内部１１４（図１）は、記憶部１３８に記憶された配送指示データを読み込み、表示部１２６に、配送指示データを表示する。本実施形態では、図２に示したように、配送指示データが配送指示書の形式で表示される。なお、配送指示データの表示形式は配送指示書の形式に限られず、リスト形式など種々の形式を採用できる。配送順案内部１１４は、端末装置１００に接続された印刷装置を用いて配送指示書を印刷してもよい。
【００１５】
配送順決定サーバ２００は、通信部２０２と、配送先記憶部２１４と、道路情報記憶部２１６と、第２制御部２０４と、を備えている。通信部２０２は、インターネット８０を介して端末装置１００と通信を行うための回路である。
【００１６】
図３は、配送先記憶部２１４の記憶内容の一例を示す図である。図３に示すように、配送先記憶部２１４には、荷物の識別番号（ＩＤ）と、その荷物の種類と、その荷物の配送先とが対応づけて記憶されている。図３に示した例では、配送先に一意に割り当てられた配送先コードに、ＩＤが「０００１」から「０００７」までの荷物が対応付けられ、さらに、各荷物に、その荷物の種類として、「精密機器」、「生鮮品」、「その他」のいずれかが対応付けられている。本実施形態において、荷物の種類は、同時に配送することの適格性に応じて区分されている。本実施形態では、「生鮮品」と他の荷物（「精密機器」および「その他」）とは、生鮮品の匂いが他の荷物に移る可能性があるため、同時に配達することが不適であるものとする。
【００１７】
配送先記憶部２１４には、図３に示した事項以外にも、例えば、配送先の名称や住所、配送先が存在する位置の緯度および経度が記憶されている。本実施形態では、配送先記憶部２１４に対する各パラメータの登録は、オペレータや、荷物の配送を委託する業者によって行われる。配送先記憶部２１４には、配送車両５０毎に、担当の配送先が登録される。
【００１８】
道路情報記憶部２１６（図１）には、道を表すリンクデータと、交差点や屈曲点、行き止まりを表すノードデータとにより道路の繋がり状態が表された道路ネットワークデータが記憶されている。リンクデータには、その道の通過に要する旅行時間を表すコストと共に、その道路が駐停車禁止であるか否かを示す情報や、車線数、幅員、一方通行であるか否か、通行禁止であるか否か、などを表す属性情報が関連づけられている。
【００１９】
本実施形態では、道路情報記憶部２１６には、移動手段毎に道路ネットワークデータが記憶されている。具体的には、本実施形態では、配送車両５０が通行可能な道路の繋がり状態を表す車両用ネットワークデータと、台車６０が通行可能な道路の繋がり状態を表す台車用ネットワークデータとが記憶されている。台車６０が通行可能な道路には、車道に限らず、歩道やスロープ、建物内の通路、エレベータなども含まれる。道路情報記憶部２１６には、その他、歩道の繋がり状態を表す歩行者用ネットワークデータや、駐車場の位置を表す情報、地図データ等も記憶されている。
【００２０】
第２制御部２０４は、ＣＰＵやメモリを備えており、配送順決定サーバ２００の動作全体を制御する。第２制御部２０４は、メモリに記憶されたコンピュータプログラムがＣＰＵによって実行されることにより、グループ化部２０６、駐車位置決定部２０８、配送順決定部２１０、および、配送経路決定部２１２、として機能する。コンピュータプログラムは、光ディスクなどの一時的でない有形な記録媒体に記録されていてもよい。
【００２１】
グループ化部２０６は、配送先記憶部２１４に記憶された配送先の少なくとも一部をグループ化し、グループ化された配送先に配送される荷物を、更に、荷物の種類に応じてグループ化する。駐車位置決定部２０８は、グループ化された配送先を含む領域内において、予め定めた条件を満たす駐車位置を、車両用ネットワークに基づき決定する。配送順決定部２１０は、グループ化された荷物の配送順を決定する。また、配送順決定部２１０は、駐車位置決定部２０８によって決定された駐車位置を起点として、グループ化された配送先の台車による配送順を決定する。配送経路決定部２１２は、駐車位置決定部２０８によって決定された駐車位置に基づき、配送車両５０による荷物の配送経路を決定する。これらの機能部によって実現される処理内容について、以下、フローチャートを参照して説明する。
【００２２】
図４は、配送順決定サーバ２００の第２制御部２０４によって実行される配送順決定処理のフローチャートである。この処理は、第２制御部２０４が、端末装置１００から配送順決定要求を受信した場合に実行される。この配送順決定処理が実行されると、まず、グループ化部２０６が、配送先記憶部２１４に記憶された配送先のグループ化を行う（ステップＳ１０）。本実施形態では、グループ化部２０６は、配送順決定要求に含まれる配送車両５０の識別ＩＤに基づき、配送先のグループ化を行う対象の配送車両５０を判別し、配送先記憶部２１４に記憶されたその配送車両５０に対応する配送先のグループ化を行う。
【００２３】
本実施形態では、グループ化部２０６は、グループ化を行おうとする各配送先への台車６０による移動時間を、道路情報記憶部２１６に記憶された台車用ネットワークを用いて算出し、算出された移動時間に基づき、配送先のグループ化を行う。例えば、グループ化部２０６は、配送先記憶部２１４に記憶されたすべての配送先、より具体的には、その配送車両５０に対応するすべての配送先について、ダイクストラ法等に基づき総当たりで台車６０による配送先間の移動時間を求める。そして、所定時間内（例えば、３分以内）に隣接する配送先に到達できる範囲に属する配送先を、１つのグループとしてグループ化する。ただし、こうしたグループ化の結果、所定時間内に台車６０により到達できる隣接した配送先が存在しない場合、グループ化部２０６は、その配送先についてはグループ化しない。なお、本実施形態におけるグループ化では、建物内に複数の配送先が含まれる場合には、その建物内においてもグループ化が行われる。
【００２４】
配送先のグループ化を行った後、グループ化部２０６は、更に、荷物のグループ化を行う（ステップＳ２０）。
【００２５】
図５は、荷物のグループ化の例を示す図である。図５に示すように、本実施形態では、グループ化部２０６は、グループ化された配送先に属する荷物を、荷物の種類に応じてグループ化する。図５には、「配送先グループ１」の各配送先に配達する荷物が、「荷物グループ１」と、「荷物グループ２」とにグループ化されている例を示している。「荷物グループ１」には、「精密機器」および「その他」に該当する荷物が含まれ、「荷物グループ２」には、「生鮮品」に該当する荷物が含まれている。荷物グループのグループ番号は、それらの荷物が配達される配達順を示す。つまり、「荷物グループ１」に属する荷物が、まず、配送先グループ１の各配送先に配達され、その後、「荷物グループ２」に属する荷物が、配送先グループ１の各配送先に配達される。荷物グループのグループ番号は、予め定めた順序で付与される。本実施形態では、生鮮品に該当する荷物には、グループ番号「２」が付与され、その他の荷物には、グループ番号「１」が付与される。そのため、常に、生鮮品が、他の荷物よりも後に配達されることになり、他の荷物に生鮮品の匂いが移ることを抑制できる。なお、他の実施形態では、生鮮品が他の荷物に先立って配達されるように配達順が決定されてもよい。こうすることにより、生鮮品の鮮度が低下することを抑制できる。
【００２６】
グループ化部２０６によって荷物のグループ化が行われると、続いて、駐車位置決定部２０８が、グループ化された配送先を含む領域内における配送車両５０の駐車位置を、配送先グループ毎に決定する（ステップＳ３０）。本実施形態では、駐車位置決定部２０８は、配送先グループ毎に、グループ化された配送先を含む領域内において、予め定められた条件を満たす駐車位置を決定する。予め定められた条件とは、例えば、以下のような条件である。
【００２７】
（条件１）グループ化された配送先のうちの少なくとも一つの配送先が面する道路であって駐停車禁止ではなく、片側２車線以上ある道路。
（条件２）グループ化された配送先のうちの少なくとも一つの配送先が面する道路であって駐停車禁止ではなく、幅員が所定値以上である道路。
（条件３）グループ化された配送先のうちの少なくとも一つの配送先が面する道路であって駐停車禁止ではない道路。
（条件４）グループ化された配送先のうちの少なくとも一つの配送先に近接したコインパーキングなどの有料駐車場。
【００２８】
これらの条件は、配送車両５０を、グループ化された配送先を含む領域内に確実に駐車できるように定められている。駐車位置決定部２０８は、これらの条件のうち、いずれか１つのみに基づいて駐車位置を決定してもよいし、これらの条件に優先順位を付し、その優先順位に基づき駐車位置を探索してもよい。なお、どの条件にも合致する駐車位置が探索されない場合には、そのグループについてグループ化を解除してもよい。
【００２９】
上記ステップＳ３０において、各配送先グループに対して駐車位置が決定されると、配送順決定部２１０が、その駐車位置を起点として、グループ化された配送先内において、配送順を決定する（ステップＳ４０）。具体的には、配送順決定部２１０は、駐車位置から、グループ化されたすべての配送先に最も効率的に到達できる経路を、ダイクストラ法等に基づき、台車用ネットワークを用いて探索することによって配送順を決定する。このとき、本実施形態では、配送順決定部２１０は、異なる荷物グループの荷物が、同じ台車６０に搭載されないように配達順を決定する。具体的には、配送順決定部２１０は、「荷物グループ１」（図５参照）に属する荷物が配送される配送先について、最も効率的に到達できる経路を探索して配送順を決定し、続いて、「荷物グループ２」に該当する荷物が配送される配送先について、最も効率的に到達できる経路を探索して配送順を決定する。そのため、「荷物グループ１」に該当する荷物（精密機器およびその他）と「荷物グループ２」に該当する荷物（生鮮品）とが同じ配送先であったとしても、それらの荷物は、異なるタイミングで配達される。
【００３０】
上記ステップＳ４０において荷物の配送順が決定されると、配送経路決定部２１２が、配送車両５０の出発地から帰任地までの間において、グループ化されていない配送先と、駐車位置決定部２０８において決定された駐車位置とを全て経由する配送経路を、ダイクストラ法等に基づき、車両用ネットワークを用いて探索して決定する（ステップＳ５０）。配送経路決定部２１２は、渋滞情報等を考慮して配送経路を決定してもよい。本実施形態では、配送経路決定部２１２は、配送経路を決定するとともに、配送完了時刻の予測も行う。配送経路決定部２１２は、配送経路の探索によって算出される配送先間の移動時間の合計に、各配送先グループ内における配送先間の移動時間や荷渡し時間、駐車位置における荷下ろし時間などを加えることで、配送完了時刻を予測することができる。荷渡しや荷下ろしに要する時間は、予め設定した固定値であってもよいし、荷物の数に応じて予測した値であってもよい。
【００３１】
以上のようにして荷物の配送順、および、配送経路が決定されると、第２制御部２０４は、それらの情報、および、配送完了時刻を含む配送指示データを生成し、端末装置１００に送信する（ステップＳ６０）。
【００３２】
端末装置１００は、配送指示データを配送順決定サーバ２００から受信すると、その配送指示データを用いて、図２に示した配送指示書を生成し、表示部１２６に表示する。上述した配送順決定処理において荷物がグループ化された場合には、同じ配送先に異なるタイミングで複数回、荷物が配送される場合がある。この場合、図２に示した配送指示書には、同じ配送先が、異なるタイミング（配送順）で複数回登場する。端末装置１００の第１制御部１１０は、タッチパネル１２４によって、ユーザから図２に示した配送指示書中の配送先がタッチされたことを検出した場合に、現在位置からその配送先までの経路や、その配送先に対して配送する荷物のリストを、配送順決定サーバ２００から取得した配送指示データに基づき表示部１２６に表示してもよい。
【００３３】
図６は、上述した配送順決定処理によって決定された配送順の一例を示す図である。図６には、グループ化された複数の配送先を含む領域Ａ１，Ａ２をそれぞれ破線で囲っている。以上で説明した本実施形態の配送順決定システム１０によれば、図６に示すように、配送先が集中した領域Ａ１，Ａ２については、配送先のグループ化が行われるので、１つの駐車位置Ｐ１（Ｐ２）から台車６０を用いて効率的に複数の配送先へ荷物を配達することができる。しかも、台車６０による配達では、一方通行や進入禁止、歩行者専用道路などの配送車両５０に対する交通規制を受けないので、配送車両５０によって個別に配達を行うよりも、効率的に配達を行うことができる。また、本実施形態では、配送車両５０の駐車位置を、上述した各種の条件に基づいて決定するので、配送先グループを含む領域内に配送車両５０を的確に駐車できる。
【００３４】
更に、本実施形態では、台車６０の移動時間に基づき配送先のグループ化が行われるので、例えば、図６に示すように、距離的あるいは住所上は、他の配送先に近い配送先であるものの、河川Ｒ１を挟む位置に存在するため他の配送先から移動時間が長くかかる配送先ＤＡ１や、道路が敷設されていない土地が存在するために経路上、大回りとなる配送先ＤＡ２についてはグループ化の対象にならない。従って、本実施形態によれば、単純に距離に基づき配送先のグループ化を行うよりも、効率的に荷物の配達を行うことができる。
【００３５】
また、本実施形態では、グループ内における駐車位置と、グループ化されていない配送先とをすべて経由する配送経路を決定するので、すべての配送先に対して効率的に配送を行うことができる。しかも、本実施形態では、台車６０による移動時間と配送車両５０による移動時間をすべて算出するため、配送車両５０の移動時間のみに基づいて配送の完了時刻を予測するよりも、正確に配送完了時刻を予測できる。従って、例えば、台車６０による配達が効率よく行うことができないために配送時間が遅れてしまい、他の配送車両に救援を求めるような事態を回避することが可能になる。
【００３６】
また、本実施形態では、荷物の種類毎にグループ化が行われる。そのため、例えば、図６の領域Ａ２に示すように、同じ配送先に複数の荷物を配送する場合においても、荷物グループ毎に台車６０に荷物が搭載され、荷物グループ毎に荷物が配送先に配達される。このように、本実施形態では、配送先をグループ化するだけではなく、荷物についても、その種類に応じてグループ化を行うため、同時に配送することが好ましくない荷物が、同時に配送されることを抑制できる。この結果、例えば、生鮮品の匂いが、精密機器等に移るような事態を抑制できるので、顧客の満足度を高めることが可能になる。
【００３７】
なお、本実施形態において、端末装置１００は、配送順決定要求を、荷物が配送車両５０に搭載される前に配送順決定サーバ２００に送信することが好ましい。配送順決定要求が荷物の積載前に送信されれば、荷物を積載する前に、配送先および荷物がグループ化されて配送順および配送経路が決定されるので、各荷物が配達される順序に従って、各荷物を配送車両５０に積載すれば、配送車両５０から台車６０への荷物の移し替えや配達を効率的に行うことが可能になる。
【００３８】
Ｂ．他の実施形態：
（Ｂ−１）上記実施形態において、荷物の種類の区分は、精密機器や生鮮品に限られず、同時に配送することの適格性に応じて適宜設定できる。例えば、郵便受けに入るサイズの荷物と入らないサイズの荷物、受領確認（押印やサイン）が必要な荷物と不要な荷物、保険が掛けられている荷物と掛けられていない荷物、など、種々の区分を採用できる。これらの区分に応じてグループ化がされていない場合、これらの区分に応じてグループ化がされているよりも、配達効率が低下する可能性がある。そのため、これらの区分は、同時に配送する適格性が低いと捉えることができる。
【００３９】
（Ｂ−２）上記実施形態では、配送車両５０の駐車位置から台車６０を用いて荷物を配達するものとしている。しかし、配送車両５０の駐車位置からの配達は、台車６０に限らず、手持ちで行ってもよいし鞄を用いて行ってもよい。台車６０による配達を行わない場合、配送順決定部２１０は、台車用ネットワークではなく、歩行者用道路ネットワークを用いて、配送順および配送経路の探索を行う。もちろん、台車や手持ち、鞄など、様々な手段を組み合わせて配達を行ってもよい。
【００４０】
（Ｂ−３）上記実施形態において、グループ化部２０６は、グループ化を行う配送先の数および荷物の数の少なくとも一方を、予め定めた数以下に制限してもよい。こうすることにより、配送先の密集度が高い地域や建物において、グループ化される配送先が増大して配送車両５０に荷物を積載しきれない事態や、一度に台車６０に載せる荷物の数が増大することを抑制できる。
【００４１】
（Ｂ−４）上記実施形態では、端末装置１００は、配送車両５０に搭載される装置であるものとした。これに対して、端末装置１００は、ユーザが持ち運び可能な装置あってもよい。端末装置１００は、専用のハードウェアを用いて構成されていてもよいし、スマートフォンやタブレット、パーソナルコンピュータ等の汎用の装置を利用して構成されてもよい。
【００４２】
（Ｂ−５）上記実施形態では、配送順決定サーバ２００のグループ化部２０６は、各配送先への台車６０による移動時間に基づき配送先のグループ化を行っている。これに対して、グループ化部２０６は、所定の距離範囲内に存在する配送先をグループ化してもよい。また、グループ化部２０６は、住所上、同じ町や村に属する配送先をグループ化してもよい。
【００４３】
（Ｂ−６）上記実施形態では、配送順決定サーバ２００の駐車位置決定部２０８は、所定の条件を満たす駐車位置を決定している。これに対して、駐車位置決定部２０８は、グループ化された配送先のうちの任意の１つの配送先を、そのまま駐車位置として決定してもよい。
【００４４】
（Ｂ−７）上記実施形態において、配送順決定サーバ２００は、駐車位置決定部２０８や配送順決定部２１０を備えていなくてもよい。つまり、配送順決定サーバ２００は、配送先および荷物のグループ化と、配送順のみを決定し、駐車位置や配送経路については、配達者の判断、あるいは、配送車両５０に別途備えられたナビゲーションシステムによって決定してもよい。
【００４５】
（Ｂ−８）上記実施形態では、端末装置１００から配送順決定要求を受けた場合に、配送順決定サーバ２００が端末装置１００に配送指示データを送信するものとした。これに対して、例えば、予め定められた時刻に、配送順決定サーバ２００が、自発的に各端末装置１００に対して、対応する配送車両５０用の配送指示データを配信してもよい。
【００４６】
（Ｂ−９）上記実施形態では、端末装置１００と配送順決定サーバ２００とは通信キャリア７０を介して接続されるものとしたが、路車間通信を介して接続されてもよい。
【００４７】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４８】
１０…配送順決定システム、５０…配送車両、６０…台車、７０…通信キャリア、８０…インターネット、１００…端末装置、１１０…第１制御部、１１２…配送順決定要求部、１１４…配送順案内部、１２０…無線通信部、１２４…タッチパネル、１２６…表示部、１３６…測位部、１３８…記憶部、２００…配送順決定サーバ、２０２…通信部、２０４…第２制御部、２０６…グループ化部、２０８…駐車位置決定部、２１０…配送順決定部、２１２…配送経路決定部、２１４…配送先記憶部、２１６…道路情報記憶部
【図１】
2020159800.tif 000003
【図２】
2020159800.tif 000004
【図３】
2020159800.tif 000005
【図４】
2020159800.tif 000006
【図５】
2020159800.tif 000007
【図６】
2020159800.tif 000008